(57)【特許請求の範囲】
【請求項１】
家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の上面と周側面の上部を露出させた状態で合成樹脂製カバーを設け、該カバーの上縁部をバンパー部としてなることを特徴とする家具の脚装置。
【請求項２】
前記カバーが、両端部の端部カバーと、中央部の中間部カバーの三つの部材に分割され、前記脚ベース体の前後端部に前記端部カバーを設けるとともに、該両端部カバー間に前記中間部カバーを設け、前記端部カバーと中間部カバーの上縁部に向けた前記バンパー部が前記脚板の周側面の周囲に位置してなる請求項１記載の家具の脚装置。
【請求項３】
前記接地部材は、キャスター又はアジャスターであり、該家具の移動方向において前記カバーの端部から突出しない寸法に設定している請求項１又は２記載の家具の脚装置。
【請求項４】
家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の長手方向の両端部の上面と該両端部の周側面の上部を露出させた状態で合成樹脂製の端部カバーを設け、該端部カバーの上縁部をバンパー部とし、該バンパー部が前記脚板の周側面の端部側と両側部側に位置してなることを特徴とする家具の脚装置。
【発明の詳細な説明】
【技術分野】
【０００１】
本発明は、家具の脚装置に係わり、更に詳しくはテーブル、机、椅子等の家具の脚として使用することが可能な家具の脚装置に関するものである。
【背景技術】
【０００２】
従来から、キャスターを備えて移動可能な家具の脚部に、壁面やその他の物に衝突した際に脚部を保護するバンパー（あるいはプロテクター）を設けた構造は各種提供されている。例えば、特許文献１には、脚部の端部にキャスターを回転可能に支持するとともに、高さを調節可能なアジャスト部材を設け、該アジャスト部材に設けた中段フランジ部が脚部の前端面及び側面からはみ出すように寸法設定し、移動方向の前方に障害物がある場合に、前記中段フランジ部が障害物に当たるようにしたキャスタ付き家具が開示されている。
【０００３】
また、キャスターを設けたものではないが、特許文献２には、家具の脚部を構成する脚台の上面及び先端を含む側面を可撓性の合成樹脂製保護カバーで上方から外覆して、使用者の靴や着衣が汚染されたり、傷付けられたりすることを防止する構造が開示されている。
【０００４】
しかし、特許文献１では、中段フランジ部で保護しているのはアジャスト部材を設けている部分のみであり、脚部のその他の部分は全く保護されていない。また、特許文献２では、脚台の全体を保護カバーで外覆するので、金属製の脚部の素材を生かしたデザイン性を損なうことになり、見た目が悪くなる。
【先行技術文献】
【特許文献】
【０００５】
【特許文献１】特開２００９−１０１７４２号公報
【特許文献２】特開平０７−２４６１２１号公報
【発明の概要】
【発明が解決しようとする課題】
【０００６】
そこで、本発明が前述の状況に鑑み、解決しようとするところは、テーブル、机、椅子等の家具の脚として使用することが可能な家具の脚装置において、脚部の素材を生かしたデザイン性を損なうことなく、しかも壁面や他の物に衝突しても傷付けることがない家具の脚装置を提供する点にある。
【課題を解決するための手段】
【０００７】
本発明は、前述の課題解決のために、家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の上面と周側面の上部を露出させた状態で合成樹脂製カバーを設け、該カバーの上縁部をバンパー部としてなることを特徴とする家具の脚装置を構成した（請求項１）。
【０００８】
ここで、前記カバーが、両端部の端部カバーと、中央部の中間部カバーの三つの部材に分割され、前記脚ベース体の前後端部に前記端部カバーを設けるとともに、該両端部カバー間に前記中間部カバーを設け、前記端部カバーと中間部カバーの上縁部に向けた前記バンパー部が前記脚板の周側面の周囲に位置してなることが好ましい（請求項２）。
【０００９】
そして、前記接地部材は、キャスター又はアジャスターであり、該家具の移動方向において前記カバーの端部から突出しない寸法に設定しているのである（請求項３）。
【００１０】
また、本発明は、家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の長手方向の両端部の上面と該両端部の周側面の上部を露出させた状態で合成樹脂製の端部カバーを設け、該端部カバーの上縁部をバンパー部とし、該バンパー部が前記脚板の周側面の端部側と両側部側に位置してなることを特徴とする家具の脚装置を構成した（請求項４）。
【発明の効果】
【００１１】
以上にしてなる請求項１に係る発明の家具の脚装置は、家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の上面と周側面の上部を露出させた状態で合成樹脂製カバーを設け、該カバーの上縁部をバンパー部としてなるので、脚ベース体の脚板の周側面にカバーのバンパー部が存在し、壁面や他の什器あるいは靴等に衝突しても互いに傷付けることがなく、また脚ベース体の少なくとも上面を露出させた状態でカバーを設けることにより、金属製などで脚ベース体を作製した際に、その素材を生かしたデザインとすることが可能である。また、前記脚ベース体の脚板の周側面の上部を露出した状態で設けているので、カバーが目立たなく、脚ベース体の素材をより強調したデザインとすることが可能である。
【００１２】
請求項２によれば、前記カバーが、両端部の端部カバーと、中央部の中間部カバーの三つの部材に分割され、前記脚ベース体の前後端部に前記端部カバーを設けるとともに、該両端部カバー間に前記中間部カバーを設け、前記端部カバーと中間部カバーの上縁部に向けた前記バンパー部が前記脚板の周側面の周囲に位置してなるので、横幅を共通にして長さが異なるサイズの脚ベース体が複数種あっても、１つの分割カバー部品の変更によって対応できる。
【００１３】
請求項３によれば、前記接地部材は、キャスター又はアジャスターであり、該家具の移動方向において前記カバーの端部から突出しない寸法に設定しているので、家具を移動させる場合にも、移動方向の先方にカバーのバンパー部が存在するので、壁面や他の什器あるいは靴等に、接地部材が先に接触することがないのである。
【００１４】
請求項４に係る発明の家具の脚装置は、家具の脚部に床面に沿う金属製の脚ベース体を備え、該脚ベース体は周側面を有する脚板の下面側に周囲を余して補強部を下方へ突出状態で一体化した構造であり、該補強部の下部に接地部材を設けるとともに、前記脚板の長手方向の両端部の上面と該両端部の周側面の上部を露出させた状態で合成樹脂製の端部カバーを設け、該端部カバーの上縁部をバンパー部とし、該バンパー部が前記脚板の周側面の端部側と両側部側に位置してなるので、脚ベース体の前後端部にバンパー部が存在しているので、壁面や他の什器あるいは靴等に衝突しても互いに傷付けることがなく、また脚ベース体の少なくとも上面を露出させた状態で端部カバーを設けることにより、金属製などで脚ベース体を作製した際に、その素材を生かしたデザインとすることが可能である。また、端部カバーは、前記脚ベース体の脚板の周側面の上部を露出した状態で設けているので、端部カバーが目立たなく、脚ベース体の素材をより強調したデザインとすることが可能である。
【図面の簡単な説明】
【００１５】
【図１】本発明を適用した家具の一例を示す全体斜視図である。
【図２】本発明に係る脚装置の斜視図である。
【図３】本発明に係る脚装置の上方から見た分解斜視図である。
【図４】本発明に係る脚装置の下方から見た分解斜視図である。
【図５】本発明に係る脚装置の長手方向の縦断面図である。
【図６】本発明に係る脚装置のキャスターを設けた部位における幅方向の縦断面図である。
【図７】本発明に係る脚装置の脚柱を設けた部位における幅方向の縦断面図である。
【発明を実施するための形態】
【００１６】
次に、添付図面に示した実施形態に基づき、本発明を更に詳細に説明する。図１は本発明に係る脚装置を適用したテーブルを示し、図２〜図７は要部の詳細を示し、図中符号１は天板、２は脚部、３は幕板をそれぞれ示している。
【００１７】
前記テーブルは、横長四角形の天板１の両側部を一対の脚部２，２で支持するとともに、前記天板１の後部下方に幕板３を設けたものであり、天板１は両脚部２，２の上端部に、図示しないブラケットを介して手前側を跳ね上げ可能に連結するとともに、前記天板１の回動動作に連動して前記幕板３が略垂直な姿勢を維持したまま、図１に示す使用状態から脚部２に接近した折り畳み状態に変位するようになっている。
【００１８】
前記脚部２は、図１及び図２に示すように、長手方向が前記天板１の短辺方向（奥行方向）に向いた略水平な脚ベース体４と、該脚ベース体４の前後中央部から立設した脚柱５と、前記脚ベース体４の下部の前後端部に設けた接地部材６と、前記脚ベース体４の少なくとも上面を露出させた状態で周囲に設けた合成樹脂製カバー７とから構成されている。ここで、前記脚ベース体４と脚柱５は、スチールやアルミ合金等の金属製で作製している。
【００１９】
前記脚ベース体４は、図３及び図４に示すように、肉厚の厚い平面視長方形の脚板８の下面側に周囲を余して逆台形状の補強部９を下方へ突出状態で一体化した構造である。前記脚ベース体４は、前記脚板８と補強部９を板金で作製し、互いに溶接して一体化しても、あるいは全体をアルミダイキャストで一体的に作製しても良い。
【００２０】
そして、前記脚柱５は、本実施形態では金属パイプ製の２本の脚杆１０，１０からなり、それぞれの下端内部に固定した固定部材に軸方向の螺孔１１を形成している。そして、図５及び図７に示すように、前記脚ベース体４の脚板８の中央部に形成した前後一対の支持孔１２，１２に、前記脚杆１０の下部を上方から嵌挿し、その下端を前記補強部９の底面１３に当接した状態で、該底面１３に形成した取付孔１４，１４に下方から挿入した固定ネジ１５，１５を前記螺孔１１，１１に螺合して、前記脚ベース体４に対して垂直状態に２本の脚杆１０，１０を固定する。
【００２１】
前記接地部材６は、本実施形態ではキャスター１６としてテーブルを移動可能な形態としたが、高さ調節可能なアジャスターとしても良い。前記キャスター１６は、図３〜図５に示すように、回転軸となる垂直な軸ピンの上端に形成した螺軸１７を、前記脚ベース体４を構成する前記補強部９の底面１３の前後端部に形成した螺孔１８，１８に螺合して取付ける。前記螺孔１８，１８を利用し、アジャスターボルトを螺合して、前述のアジャスターを構成することができる。何れにしても、前記接地部材６は、家具の移動方向において前記カバー７の端部から突出しない寸法に設定している。
【００２２】
前記カバー７は、合成樹脂成形品であり、前記脚ベース体４の脚板８の少なくとも上面１９を露出させた状態で周囲に設け、前記補強部９を外覆する。更に詳しくは、前記カバー７は、前記脚ベース体４の脚板８の周側面２０の上部を露出した状態で設けている。具体的には、前記カバー７は、前記脚ベース体４の長手方向に複数に分割され、両端部の端部カバー７Ａ，７Ａと、中央部の中間部カバー７Ｂの三つの部材に分割し、前記脚ベース体４の長さ（奥行方向）に応じて前記中間部カバー７Ｂを変更するだけで対応できるようにしている。ここで、両端部カバー７Ａ，７Ａは、同一形状の部材であり、互いに反転させた状態で前記脚ベース体４に取付け、同じく前記脚ベース体４に取付けた前記中間部カバー７Ｂと外観性において一体となる。
【００２３】
前記カバー７、すなわち前記端部カバー７Ａ，７Ａと中間部カバー７Ｂには、上縁部にバンパー部２１を設けている。前記端部カバー７Ａは、前記脚ベース体４の前後一端部の脚板８の周側面２０を取り囲む鍔部２２と、補強部９を受け入れる上方に開放した本体部２３とからなり、前記鍔部２２の両側部側と端部側に平面視略コ字状に前記バンパー部２１を一体成形し、前記本体部２３の底部に形成した通孔２４に下方から挿通したネジ２５を前記脚ベース体４の補強部９の底面１３に形成した螺孔２６に螺合して取付ける。また、前記端部カバー７Ａの本体部２３の底部には前記キャスター１６の螺軸１７を逃がすための円孔２７が形成されているとともに、軽量化と材料節約のために前記本体部２３の底部の中央寄りには端部に開口した切欠部２８を形成している。また、前記端部カバー７Ａの鍔部２２の中央側の内側に突台２９，２９を形成し、該端部カバー７Ａを前記脚ベース体４に取付けた際に、該突台２９，２９を前記脚板８の下面に当接するとともに、前記補強部９の上縁部に形成した凹部３０，３０に係合し、位置決めと長手方向のずれを防止している。ここで、前記端部カバー７Ａの突台２９，２９の内側には、爪片２９Ａがそれぞれ形成されており、該爪片２９Ａが凹部３０に無理嵌めされて係止される。
【００２４】
また、前記中間部カバー７Ｂは、前記脚ベース体４の前後中央部の脚板８の両側の周側面２０に対応する鍔部３１と、補強部９を受け入れる上方に開放した本体部３２とからなるチャンネル形状であり、両側の鍔部３１，３１に平面視平行に前記バンパー部２１を一体成形し、前記本体部３２の底部に形成した通孔３３，３３に下方から挿通したネジ３４，３４を前記脚ベース体４の補強部９の底面１３に形成した螺孔３５，３５に螺合して取付ける。前記同様に、前記中間部カバー７Ｂの本体部３２の底部の両端部には、軽量化と材料節約のために両端部に開口したＵ字形の切欠部３６を形成している。また、前記中間部カバー７Ｂの鍔部３１の両端部の内側に二対の突台３７，３７を形成し、該中間部カバー７Ｂを前記脚ベース体４に取付けた際に、該突台３７，３７を前記脚板８の下面に当接するとともに、前記補強部９の上縁部に形成した二対の凹部３８，３８に係合し、位置決めと長手方向のずれを防止している。ここで、前記中間部カバー７Ｂの突台３７，３７の内側には、爪片３７Ａがそれぞれ形成されており、該爪片３７Ａが凹部３８に無理嵌めされて係止される。尚、前記中間部カバー７Ｂの本体部３２の底部には、前記脚杆１０，１０を取付けるための固定ネジ１５，１５を挿通するための通孔３９，３９を形成している。
【００２５】
前記脚部２の組立手順としては、前記脚ベース体４に下方から前記端部カバー７Ａ，７Ａと中間部カバー７Ｂを取付けた後、該脚ベース体４に前記脚杆１０，１０を取付け、前記キャスター１６，１６を取付ける。
【００２６】
図５〜図７に示すように、前記カバー７、すなわち前記端部カバー７Ａ，７Ａと中間部カバー７Ｂに設けた前記バンパー部２１は、前記脚ベース体４を構成する脚板８の周側面２０の下部半分の位置にあり、該周側面２０の上部は露出している。従って、上方から前記脚ベース体４を見ると、上面１９とそれに連続する周側面２０の上部が認識され、金属製の脚板８の素材が持つデザイン性を損なうことがない。一方、本実施形態に係るテーブルを移動させる際に、前記脚ベース体４の周囲には前記カバー７のバンパー部２１が存在するので、不意に壁面や他の什器、あるいは靴等に衝突しても、先に合成樹脂製のバンパー部２１が接触するので、互いに傷付けることがないのである。
【００２７】
本発明では、前記カバー７の分割構造や前記脚ベース体４への取付構造については、特に限定は不要であり、公知の各種の構造を適宜採用し得る。また、本発明を適用する家具としては、キャスターを有して移動可能な机や椅子等にも適用可能であり、更にキャスターを有しないものでも移動可能であれば適用できる。更に、移動不能な家具でも脚部２、特に脚ベース体４が露出している構造のものに適用しても靴の傷付きを防止する効果は有している。
【符号の説明】
【００２８】
１  天板、            ２  脚部、
３  幕板、            ４  脚ベース体、
５  脚柱、            ６  接地部材、
７  カバー、          ７Ａ  端部カバー、
７Ｂ  中間部カバー、  ８  脚板、
９  補強部、          １０  脚杆、
１１  螺孔、          １２  支持孔、
１３  底面、          １４  取付孔、
１５  固定ネジ、      １６  キャスター、
１７  螺軸、          １８  螺孔、
１９  上面、          ２０  周側面、
２１  バンパー部、    ２２  鍔部、
２３  本体部、        ２４  通孔、
２５  ネジ、          ２６  螺孔、
２７  円孔、          ２８  切欠部、
２９  突台、          ２９Ａ  爪片、
３０  凹部、          ３１  鍔部、
３２  本体部、        ３３  通孔、
３４  ネジ、          ３５  螺孔、
３６  切欠部、        ３７  突台、
３７Ａ  爪片、        ３８  凹部、
３９  通孔。
【図１】
0006657942.tif 000002
【図２】
0006657942.tif 000003
【図３】
0006657942.tif 000004
【図４】
0006657942.tif 000005
【図５】
0006657942.tif 000006
【図６】
0006657942.tif 000007
【図７】
0006657942.tif 000008